(57)【要約】【課題】信号を伝送する場合、伝送の処理の処理量、および、伝送される信号の情報量を抑制することができるようにする。【解決手段】画像信号符号化装置１１は、情報源符号化した画像信号のうちの第１の部分を所定の拡散符号に変換し、その拡散符号を利用して、情報源符号化した画像信号のうちの第２の部分を拡散変調して、それを伝送信号として送信装置１２および受信装置１３を介して画像信号復号装置１４に伝送する。画像信号復号装置１４は、伝送信号を、画像信号符号化装置１１が利用しうる全ての拡散符号のそれぞれを用いて逆拡散復調し、その結果に基づいて、画像信号を復元し、復号画像信号として出力する。本発明は、情報源符号化された画像信号を変調して伝送するシステムに適用可能である。【選択図】　　　図１
2004048110.tif 000002
【特許請求の範囲】
【請求項１】
第１の信号処理装置から第２の信号処理装置に、信号を伝送する信号処理システムにおいて、
前記第１の信号処理装置は、
入力した第１の信号を情報源符号化して、第２の信号とし、
前記第２の信号のうちの第１の部分を、予め設定された複数の拡散符号のうちの所定のものに変換し、
前記第１の部分が変換された前記拡散符号を利用して、前記第２の信号のうちの第２の部分を拡散変調して、第３の信号とし、
前記第３の信号を、前記第２の信号処理装置に送信し、
前記第２の信号処理装置は、
前記第１の信号処理装置より受信した前記第３の信号を、全ての前記複数の拡散符号のそれぞれを利用して逆拡散することで、前記第３の信号に利用された、前記第１の部分に対応する前記拡散符号を検出し、
検出した前記拡散符号を、前記第２の信号のうちの前記第１の部分に逆変換し、
受信した前記第３の信号を、検出した前記拡散符号を利用して逆拡散して、前記第２の信号のうちの前記第２の部分を復調し、
逆変換により復元された前記第１の部分、および、逆拡散により復調された前記第２の部分からなる前記第２の信号を、前記第１の信号に復号する
ことを特徴とする信号処理システム。
【請求項２】
第１の信号処理装置から第２の信号処理装置に、信号を伝送する信号処理システムの信号処理方法において、
前記第１の信号処理装置が、
入力した第１の信号を情報源符号化して、第２の信号とし、
前記第２の信号のうちの第１の部分を、予め設定された複数の拡散符号のうちの所定のものに変換し、
前記第１の部分が変換された前記拡散符号を利用して、前記第２の信号のうちの第２の部分を拡散変調して、第３の信号とし、
前記第３の信号を、前記第２の信号処理装置に送信し、
前記第２の信号処理装置が、
前記第１の信号処理装置より受信した前記第３の信号を、全ての前記複数の拡散符号のそれぞれを利用して逆拡散することで、前記第３の信号に利用された、前記第１の部分に対応する前記拡散符号を検出し、
検出した前記拡散符号を、前記第２の信号のうちの前記第１の部分に逆変換し、
受信した前記第３の信号を、検出した前記拡散符号を利用して逆拡散して、前記第２の信号のうちの前記第２の部分を復調し、
逆変換により復元された前記第１の部分、および、逆拡散により復調された前記第２の部分からなる前記第２の信号を、前記第１の信号に復号する
ことを特徴とする信号処理方法。
【請求項３】
入力した第１の信号を情報源符号化する符号化手段と、
前記符号化手段により情報源符号化された前記信号のうちの第１の部分を、予め設定された複数の拡散符号のうちの所定のものに変換する拡散符号変換手段と、
前記拡散符号変換手段により前記第１の部分が変換された前記拡散符号を利用して、前記符号化手段により情報源符号化された前記信号のうちの第２の部分を拡散変調する拡散変調手段と
を備えることを特徴とする信号処理装置。
【請求項４】
前記符号化手段は、ＡＤＲＣを用いて、前記信号を情報源符号化して、ＭＩＮ、ＤＲ、および、Ｑｃｏｄｅを出力する
ことを特徴とする請求項３に記載の信号処理装置。
【請求項５】
前記拡散符号変換手段により前記拡散符号に変換される前記第１の部分として、前記符号化手段より出力された前記ＭＩＮ、前記ＤＲ、および、前記Ｑｃｏｄｅの中から、１つまたは２つの信号を選択する選択手段
をさらに備えることを特徴とする請求項４に記載の信号処理装置。
【請求項６】
前記複数の拡散符号は、所定の番号がそれぞれ付された複数のＰＮ符号であり、
前記拡散符号変換手段は、前記第１の部分を２進数で表し、前記２進数を、所定のビット数を単位として先頭から順次読み出し、読み出した前記ビット数のビットを１０進数に読み替えたものを、前記ＰＮ符号の番号として検出し、検出した複数の前記ＰＮ符号の番号を、検出した順に並べた列を生成することで、前記第１の部分を前記ＰＮ符号に変換し、
前記拡散変調手段は、前記第２の部分を２進数で表し、前記２進数を構成する各ビットのそれぞれに対して、前記拡散符号変換手段により生成された前記列の対応する位置に配置された番号の前記ＰＮ符号を掛け合わせてスペクトル拡散を行う
ことを特徴とする請求項３に記載の信号処理装置。
【請求項７】
信号処理装置の信号処理方法において、
前記信号処理装置に入力された信号を、情報源符号化する符号化ステップと、
前記符号化ステップの処理により情報源符号化された前記信号のうちの第１の部分を、予め設定された複数の拡散符号のうちの所定のものに変換する拡散符号変換ステップと、
前記拡散符号変換ステップの処理により前記第１の部分が変換された前記拡散符号を利用して、前記符号化ステップの処理により情報源符号化された前記信号のうちの第２の部分を拡散変調する拡散変調ステップと
を含むことを特徴とする信号処理方法。
【請求項８】
信号処理装置を制御するコンピュータのプログラムであって、
前記信号処理装置に入力された信号を、情報源符号化する符号化ステップと、
前記符号化ステップの処理により情報源符号化された前記信号のうちの第１の部分を、予め設定された複数の拡散符号のうちの所定のものに変換する拡散符号変換ステップと、
前記拡散符号変換ステップの処理により前記第１の部分が変換された前記拡散符号を利用して、前記符号化ステップの処理により情報源符号化された前記信号のうちの第２の部分を拡散変調する拡散変調ステップと
を含むことを特徴とするコンピュータが読み取り可能なプログラムが記録されている記録媒体。
【請求項９】
信号処理装置を制御するコンピュータに、
前記信号処理装置に入力された信号を、情報源符号化する符号化ステップと、
前記符号化ステップの処理により情報源符号化された前記信号のうちの第１の部分を、予め設定された複数の拡散符号のうちの所定のものに変換する拡散符号変換ステップと、
前記拡散符号変換ステップの処理により前記第１の部分が変換された前記拡散符号を利用して、前記符号化ステップの処理により情報源符号化された前記信号のうちの第２の部分を拡散変調する拡散変調ステップと
を実行させることを特徴とするプログラム。
【請求項１０】
他の信号処理装置により、第１の信号が、情報源符号化されて第２の信号とされ、前記第２の信号のうちの第１の部分が、予め設定された複数の拡散符号のうちの所定のものに変換されるとともに、前記第２の信号のうちの第２の部分が、前記第１の部分が変換された前記拡散符号を利用して拡散変調されて、第３の信号とされた場合、前記第３の信号を、全ての前記複数の拡散符号のそれぞれを利用して逆拡散することで、前記第３の信号に利用された、前記第１の部分に対応する前記拡散符号を検出する検出手段と、
前記検出手段により検出された前記拡散符号を、前記第２の信号のうちの前記第１の部分に逆変換する逆変換手段と、
前記検出手段により検出された前記拡散符号を利用して前記第３の信号を逆拡散して、前記第２の信号のうちの前記第２の部分を復調する逆拡散復調手段と、
前記逆変換手段により復元された前記第１の部分、および、前記逆拡散復調手段により復調された前記第２の部分からなる前記第２の信号を、前記第１の信号に復号する復号手段と
を備えることを特徴とする信号処理装置。
【請求項１１】
前記第２の信号は、前記第１の信号が、ＡＤＲＣを利用して情報源符号化されたＭＩＮ、ＤＲ、および、Ｑｃｏｄｅである
ことを特徴とする請求項３に記載の信号処理装置。
【請求項１２】
前記逆変換手段により復元された前記第１の部分、および、前記逆拡散復調手段により復調された前記第２の部分が、前記ＭＩＮ、前記ＤＲ、および、前記Ｑｃｏｄｅの中のいずれの信号に対応するかを識別する識別手段をさらに備え、
前記復号手段は、前記識別手段により識別された前記ＭＩＮ、前記ＤＲ、および、前記Ｑｃｏｄｅからなる前記第２の信号を、前記第１の信号に復号する
ことを特徴とする請求項１１に記載の信号処理装置。
【請求項１３】
前記複数の拡散符号は、所定の番号がそれぞれ付された複数のＰＮ符号であり、
前記逆変換手段は、前記検出手段により検出された複数の前記ＰＮ符号のそれぞれに対応する番号を検出し、検出した複数の前記番号を所定の順番で並べた列を生成し、生成した前記列を２進数で表し、前記２進数に基づいて、前記第２の信号のうちの前記第１の部分を復元する
ことを特徴とする請求項１０に記載の信号処理装置。
【請求項１４】
前記検出手段は、
前記複数の拡散符号の全てを予め記憶している拡散符号記憶手段と、
前記第３の信号を、前記拡散符号記憶手段に記憶されている前記複数の拡散符号のそれぞれを利用して逆拡散することで、前記第３の信号と前記複数の拡散符号のそれぞれとの相関係数を演算する相関演算手段と、
前記相関演算手段により演算された前記相関係数のうちの最大のものを検出し、検出した前記相関係数に対応する拡散符号を、前記第３の信号に利用された、前記第１の部分に対応する前記拡散符号として検出する最大値検出手段と
を有することを特徴とする請求項１０に記載の信号処理装置。
【請求項１５】
信号処理装置の信号処理方法において、
他の信号処理装置により、第１の信号が、情報源符号化されて第２の信号とされ、前記第２の信号のうちの第１の部分が、予め設定された複数の拡散符号のうちの所定のものに変換されるとともに、前記第２の信号のうちの第２の部分が、前記第１の部分が変換された前記拡散符号を利用して拡散変調されて、第３の信号とされた場合、前記第３の信号を、全ての前記複数の拡散符号のそれぞれを利用して逆拡散することで、前記第３の信号に利用された、前記第１の部分に対応する前記拡散符号を検出する検出ステップと、
前記検出ステップの処理により検出された前記拡散符号を、前記第２の信号のうちの前記第１の部分に逆変換する逆変換ステップと、
前記検出ステップの処理により検出された前記拡散符号を利用して前記第３の信号を逆拡散し、前記第２の信号のうちの前記第２の部分を復調する逆拡散復調ステップと、
前記逆変換ステップの処理により復元された前記第１の部分、および、前記逆拡散復調ステップの処理により復調された前記第２の部分からなる前記第２の信号を、前記第１の信号に復号する復号ステップと
を含むことを特徴とする信号処理方法。
【請求項１６】
信号処理装置を制御するコンピュータのプログラムであって、
他の信号処理装置により、第１の信号が、情報源符号化されて第２の信号とされ、前記第２の信号のうちの第１の部分が、予め設定された複数の拡散符号のうちの所定のものに変換されるとともに、前記第２の信号のうちの第２の部分が、前記第１の部分が変換された前記拡散符号を利用して拡散変調されて、第３の信号とされた場合、前記第３の信号を、全ての前記複数の拡散符号のそれぞれを利用して逆拡散することで、前記第３の信号に利用された、前記第１の部分に対応する前記拡散符号を検出する検出ステップと、
前記検出ステップの処理により検出された前記拡散符号を、前記第２の信号のうちの前記第１の部分に逆変換する逆変換ステップと、
前記検出ステップの処理により検出された前記拡散符号を利用して前記第３の信号を逆拡散し、前記第２の信号のうちの前記第２の部分を復調する逆拡散復調ステップと、
前記逆変換ステップの処理により復元された前記第１の部分、および、前記逆拡散復調ステップの処理により復調された前記第２の部分からなる前記第２の信号を、前記第１の信号に復号する復号ステップと
を含むことを特徴とするコンピュータが読み取り可能なプログラムが記録されている記録媒体。
【請求項１７】
信号処理装置を制御するコンピュータに、
他の信号処理装置により、第１の信号が、情報源符号化されて第２の信号とされ、前記第２の信号のうちの第１の部分が、予め設定された複数の拡散符号のうちの所定のものに変換されるとともに、前記第２の信号のうちの第２の部分が、前記第１の部分が変換された前記拡散符号を利用して拡散変調されて、第３の信号とされた場合、前記第３の信号を、全ての前記複数の拡散符号のそれぞれを利用して逆拡散することで、前記第３の信号に利用された、前記第１の部分に対応する前記拡散符号を検出する検出ステップと、
前記検出ステップの処理により検出された前記拡散符号を、前記第２の信号のうちの前記第１の部分に逆変換する逆変換ステップと、
前記検出ステップの処理により検出された前記拡散符号を利用して前記第３の信号を逆拡散し、前記第２の信号のうちの前記第２の部分を復調する逆拡散復調ステップと、
前記逆変換ステップの処理により復元された前記第１の部分、および、前記逆拡散復調ステップの処理により復調された前記第２の部分からなる前記第２の信号を、前記第１の信号に復号する復号ステップと
を実行させることを特徴とするプログラム。
【発明の詳細な説明】
【０００１】
【発明の属する技術分野】
本発明は、信号処理システムおよび方法、信号処理装置および方法、記録媒体、並びにプログラムに関し、特に、信号を伝送する場合、伝送の処理の処理量、および、伝送される信号の情報量を抑制することができるようにした信号処理システムおよび方法、信号処理装置および方法、記録媒体、並びにプログラムに関する。
【０００２】
【従来の技術】
限られた帯域の範囲内で所定の情報を伝送する場合、伝送の前に、その情報を所定の方式により情報源符号化して圧縮することが行われている。
【０００３】
また、そのようにして情報源符号化された情報（以下、情報源符号化情報と称する）を伝送する場合、伝送路に応じてその情報源符号化情報を変調して伝送することが行われている。
【０００４】
【発明が解決しようとする課題】
しかしながら、従来、そのような情報源符号化方式と変調方式（それに対応する復号方式と復調方式）のそれぞれは、相互に関連がなく、独立に決められていることが多い。
【０００５】
即ち、伝送前の情報源符号化情報には意味があるが、情報源符号化とは独立して決定される、その情報源符号化情報を変調する場合に用いられる信号には意味がない。
【０００６】
従って、意味のある情報（情報源符号化情報）を、全て伝送する必要がある。また、意味のある情報（情報源符号化情報）を、正確に伝送する必要があるので、伝送時に起因するエラーを検出および訂正するために、伝送される全ての情報（情報源符号化情報）に対してＥＣＣ（Ｅｒｒｏｒ　Ｃｈｅｃｋｉｎｇ　Ｃｏｄｅ）、または、パリティなどの冗長な符号を付加する必要が生じる。
【０００７】
即ち、実際に伝送される信号（そのような信号を、以下、伝送信号と称する）は、従来、全ての情報源符号化情報が変調された信号に、上述した冗長な符号がさらに付加されたものである。その結果、伝送前の情報量（情報源符号化情報の情報量）は、元の情報の情報量に比較して、減少されたにも関わらず、伝送時の情報量（伝送信号の情報量）はさほど減少されず、限られた帯域では、伝送信号が正確かつ迅速に伝送されないおそれがあるという第１の課題があった。
【０００８】
また、変調方式の代表的なものとして、拡散符号化が知られているが、この拡散符号化においては、送受信双方で共通する所定の拡散符号が利用されるため、対象の情報を伝送する本来の通信の前に、これから利用する拡散符号についての送受信間での合意を形成するための別の通信が必要になるという第２の課題があった。
【０００９】
本発明は、このような状況に鑑みてなされたものであり、信号を伝送する場合、伝送の処理の処理量、および、伝送される信号の情報量を抑制することができるようにするものである。
【００１０】
【課題を解決するための手段】
本発明の信号処理システムは、第１の信号処理装置が、入力した第１の信号を情報源符号化して、第２の信号とし、第２の信号のうちの第１の部分を、予め設定された複数の拡散符号のうちの所定のものに変換し、第１の部分から変換された拡散符号を利用して、第２の信号のうちの第２の部分を拡散変調して、第３の信号とし、第３の信号を、第２の信号処理装置に送信し、第２の信号処理装置が、第１の信号処理装置より受信した第３の信号を、全ての複数の拡散符号のそれぞれを利用して逆拡散することで、第３の信号に利用された、第１の部分に対応する拡散符号を検出し、検出した拡散符号を、第２の信号のうちの第１の部分に逆変換し、受信した第３の信号を、検出した拡散符号を利用して逆拡散し、第２の信号のうちの第２の部分を復調し、逆変換により復元された第１の部分、および、逆拡散復調により復調された第２の部分からなる第２の信号を、第１の信号に復号することを特徴とする。
【００１１】
本発明の信号処理システムの信号処理方法は、第１の信号処理装置が、入力した第１の信号を情報源符号化して、第２の信号とし、第２の信号のうちの第１の部分を、予め設定された複数の拡散符号のうちの所定のものに変換し、第１の部分が変換された拡散符号を利用して、第２の信号のうちの第２の部分を拡散変調して、第３の信号とし、第３の信号を、第２の信号処理装置に送信し、第２の信号処理装置が、第１の信号処理装置より受信した第３の信号を、全ての複数の拡散符号のそれぞれを利用して逆拡散することで、第３の信号に利用された、第１の部分に対応する拡散符号を検出し、検出した拡散符号を、第２の信号のうちの第１の部分に逆変換し、受信した第３の信号を、検出した拡散符号を利用して逆拡散し、第２の信号のうちの第２の部分を復調し、逆変換により復元された第１の部分、および、逆拡散復調により復調された第２の部分からなる第２の信号を、第１の信号に復号することを特徴とする。
【００１２】
本発明の信号処理システムおよび方法においては、第１の信号処理装置により、入力された第１の信号が、情報源符号化されて第２の信号とされ、第２の信号のうちの第１の部分が、予め設定された複数の拡散符号のうちの所定のものに変換されるとともに、その第１の部分が変換された拡散符号を利用して、第２の信号のうちの第２の部分が、拡散変調されて第３の信号とされ、第３の信号が、第２の信号処理装置に送信される。
【００１３】
この場合、第２の信号処理装置により、第１の信号処理装置より受信した第３の信号が、全ての複数の拡散符号のそれぞれを利用して逆拡散されることで、第３の信号に利用された、第１の部分に対応する拡散符号が検出される。検出された拡散符号が、第２の信号のうちの第１の部分に逆変換されるとともに、第３の信号が、検出された拡散符号を利用して逆拡散され、第２の信号のうちの第２の部分に復調される。そして、逆変換により復元された第１の部分、および、逆拡散により復調された第２の部分からなる第２の信号が、第１の信号に復号される。
【００１４】
第１の信号処理装置は、信号を単に符号化および変調する装置であってもよいし、信号を符号化および変調するとともに、信号を復調および復号する装置であってもよい。また、第１の信号処理装置は、信号を単に送信する装置であってもよいし、信号を送受信する装置であってもよい。
【００１５】
同様に、第２の信号処理装置は、信号を単に復調および復号する装置であってもよいし、信号を符号化および変調するとともに、信号を復調および復号する装置であってもよい。また、第２の信号処理装置は、信号を単に受信する装置であってもよいし、信号を送受信する装置であってもよい。
【００１６】
本発明の第１の信号処理装置は、入力した信号を情報源符号化する符号化手段と、符号化手段により情報源符号化された信号のうちの第１の部分を、予め設定された複数の拡散符号のうちの所定のものに変換する拡散符号変換手段と、拡散符号変換手段により第１の部分が変換された拡散符号を利用して、符号化手段により情報源符号化された信号のうちの第２の部分を拡散変調する拡散変調手段とを備えることを特徴とする。
【００１７】
符号化手段は、ＡＤＲＣを用いて、信号を情報源符号化して、ＭＩＮ、ＤＲ、および、Ｑｃｏｄｅを出力するようにすることができる。
【００１８】
拡散符号変換手段により拡散符号に変換される第１の部分として、符号化手段より出力されたＭＩＮ、ＤＲ、および、Ｑｃｏｄｅの中から、１つまたは２つの信号を選択する選択手段をさらに設けるようにすることができる。
【００１９】
複数の拡散符号は、所定の番号がそれぞれ付された複数のＰＮ符号であり、拡散符号変換手段は、第１の部分を２進数で表し、その２進数を、所定のビット数を単位として先頭から順次読み出し、読み出した所定のビット数のビットを１０進数に読み替えたものを、ＰＮ符号の番号として検出し、検出した複数のＰＮ符号の番号を、検出した順に並べた列を生成することで、第１の部分をＰＮ符号に変換し、拡散変調手段は、第２の部分を２進数で表し、その２進数を構成する各ビットのそれぞれに対して、拡散符号変換手段により生成された列の対応する位置に配置された番号のＰＮ符号を掛け合わせてスペクトル拡散を行うようにすることができる。
【００２０】
本発明の第１の信号処理装置の信号処理方法は、第１の信号処理装置に入力された信号を情報源符号化する符号化ステップと、符号化ステップの処理により情報源符号化された前記信号のうちの第１の部分を、予め設定された複数の拡散符号のうちの所定のものに変換する拡散符号変換ステップと、拡散符号変換ステップの処理により第１の部分が変換された拡散符号を利用して、符号化ステップの処理により情報源符号化された信号のうちの第２の部分を拡散変調する拡散変調ステップとを含むことを特徴とする。
【００２１】
本発明の第１の記録媒体のプログラムは、第１の信号処理装置に入力された信号を情報源符号化する符号化ステップと、符号化ステップの処理により情報源符号化された前記信号のうちの第１の部分を、予め設定された複数の拡散符号のうちの所定のものに変換する拡散符号変換ステップと、拡散符号変換ステップの処理により第１の部分が変換された拡散符号を利用して、符号化ステップの処理により情報源符号化された信号のうちの第２の部分を拡散変調する拡散変調ステップとを含むことを特徴とする。
【００２２】
本発明の第１のプログラムは、第１の信号処理装置に入力された信号を情報源符号化する符号化ステップと、符号化ステップの処理により情報源符号化された前記信号のうちの第１の部分を、予め設定された複数の拡散符号のうちの所定のものに変換する拡散符号変換ステップと、拡散符号変換ステップの処理により第１の部分が変換された拡散符号を利用して、符号化ステップの処理により情報源符号化された信号のうちの第２の部分を拡散変調する拡散変調ステップとをコンピュータに実行させることを特徴とする。
【００２３】
本発明の第１の信号処理装置および方法、第１の記録媒体、並びに、第１のプログラムにおいては、入力された信号が情報源符号化され、情報源符号化された信号のうちの第１の部分が、予め設定された複数の拡散符号のうちの所定のものに変換されるとともに、情報源符号化された信号のうちの第２の部分が、その第１の部分が変換された拡散符号を利用して拡散変調される。
【００２４】
第１の信号処理装置は、信号を単に符号化および変調する装置であってもよいし、信号を符号化および変調するとともに、信号を復調および復号する装置であってもよい。
【００２５】
本発明の第２の信号処理装置は、他の信号処理装置により、第１の信号が、情報源符号化されて第２の信号とされ、第２の信号のうちの第１の部分が、予め設定された複数の拡散符号のうちの所定のものに変換されるとともに、第２の信号のうちの第２の部分が、第１の部分が変換された拡散符号を利用して拡散変調されて、第３の信号とされた場合、第３の信号を、全ての複数の拡散符号のそれぞれを利用して逆拡散することで、第３の信号に利用された、第１の部分に対応する拡散符号を検出する検出手段と、検出手段により検出された拡散符号を、第２の信号のうちの第１の部分に逆変換する逆変換手段と、検出手段により検出された拡散符号を利用して第３の信号を逆拡散して、第２の信号のうちの第２の部分を復調する逆拡散復調手段と、逆変換手段により復元された第１の部分、および、逆拡散復調手段により復調された第２の部分からなる第２の信号を、第１の信号に復号する復号手段とを備えることを特徴とする。
【００２６】
第２の信号は、第１の信号が、ＡＤＲＣを利用して情報源符号化されたＭＩＮ、ＤＲ、および、Ｑｃｏｄｅであるようにすることができる。
【００２７】
逆変換手段により復元された第１の部分、および、逆拡散復調手段により復調された第２の部分が、ＭＩＮ、ＤＲ、および、Ｑｃｏｄｅの中のいずれの信号に対応するかを識別する識別手段をさらに備え、復号手段は、識別手段により識別されたＭＩＮ、ＤＲ、および、Ｑｃｏｄｅからなる第２の信号を、第１の信号に復号するようにすることができる。
【００２８】
複数の拡散符号は、所定の番号がそれぞれ付された複数のＰＮ符号であり、逆変換手段は、検出手段により検出された複数のＰＮ符号のそれぞれに対応する番号を検出し、検出した複数の番号を所定の順番で並べた列を生成し、生成した列を２進数で表し、それらの２進数に基づいて、第２の信号のうちの第１の部分を復元するようにすることができる。
【００２９】
検出手段は、複数の拡散符号の全てを予め記憶している拡散符号記憶手段と、第３の信号を、拡散符号記憶手段に記憶されている複数の拡散符号のそれぞれを利用して逆拡散することで、第３の信号と複数の拡散符号のそれぞれとの相関係数を演算する相関演算手段と、相関演算手段により演算された相関係数のうちの最大のものを検出し、検出した相関係数に対応する拡散符号を、第３の信号に利用された、第１の部分に対応する拡散符号として検出する最大値検出手段とを有するようにすることができる。
【００３０】
本発明の第２の信号処理装置の信号処理方法は、他の信号処理装置により、第１の信号が、情報源符号化されて第２の信号とされ、第２の信号のうちの第１の部分が、予め設定された複数の拡散符号のうちの所定のものに変換されるとともに、第２の信号のうちの第２の部分が、第１の部分が変換された拡散符号を利用して拡散変調されて、第３の信号とされた場合、第３の信号を、複数の拡散符号のそれぞれを利用して逆拡散することで、第３の信号に利用された、第１の部分に対応する拡散符号を検出する検出ステップと、検出ステップの処理により検出された拡散符号を、第２の信号のうちの第１の部分に逆変換する逆変換ステップと、検出ステップの処理により検出された拡散符号を利用して第３の信号を逆拡散し、第２の信号のうちの第２の部分を復調する逆拡散復調ステップと、逆変換ステップの処理により復元された第１の部分、および、逆拡散復調ステップの処理により復調された第２の部分からなる第２の信号を、第１の信号に復号する復号ステップとを含むことを特徴とする。
【００３１】
本発明の第２の記録媒体のプログラムは、他の信号処理装置により、第１の信号が、情報源符号化されて第２の信号とされ、第２の信号のうちの第１の部分が、予め設定された複数の拡散符号のうちの所定のものに変換されるとともに、第２の信号のうちの第２の部分が、第１の部分が変換された拡散符号を利用して拡散変調されて、第３の信号とされた場合、第３の信号を、全ての複数の拡散符号のそれぞれを利用して逆拡散することで、第３の信号に利用された、第１の部分に対応する拡散符号を検出する検出ステップと、検出ステップの処理により検出された拡散符号を、第２の信号のうちの第１の部分に逆変換する逆変換ステップと、検出ステップの処理により検出された拡散符号を利用して第３の信号を逆拡散し、第２の信号のうちの第２の部分を復調する逆拡散復調ステップと、逆変換ステップの処理により復元された第１の部分、および、逆拡散復調ステップの処理により復調された第２の部分からなる第２の信号を、第１の信号に復号する復号ステップとを含むことを特徴とする。
【００３２】
本発明の第２のプログラムは、他の信号処理装置により、第１の信号が、情報源符号化されて第２の信号とされ、第２の信号のうちの第１の部分が、予め設定された複数の拡散符号のうちの所定のものに変換されるとともに、第２の信号のうちの第２の部分が、第１の部分が変換された拡散符号を利用して拡散変調されて、第３の信号とされた場合、第３の信号を、全ての複数の拡散符号のそれぞれを利用して逆拡散することで、第３の信号に利用された、第１の部分に対応する拡散符号を検出する検出ステップと、検出ステップの処理により検出された拡散符号を、第２の信号のうちの第１の部分に逆変換する逆変換ステップと、検出ステップの処理により検出された拡散符号を利用して第３の信号を逆拡散し、第２の信号のうちの第２の部分を復調する逆拡散復調ステップと、逆変換ステップの処理により復元された第１の部分、および、逆拡散復調ステップの処理により復調された第２の部分からなる第２の信号を、第１の信号に復号する復号ステップとをコンピュータに実行させることを特徴とする。
【００３３】
本発明の第２の信号処理装置および方法、第２の記録媒体、並びに、第２のプログラムにおいては、他の信号処理装置により、第１の信号が、情報源符号化されて第２の信号とされ、第２の信号のうちの第１の部分が、予め設定された複数の拡散符号のうちの所定のものに変換されるとともに、第２の信号のうちの第２の部分が、第１の部分が変換された拡散符号を利用して拡散変調されて、第３の信号とされた場合、第３の信号が、全ての複数の拡散符号のそれぞれを利用して逆拡散されることで、第３の信号に利用された、第１の部分に対応する拡散符号が検出される。検出された拡散符号が、第２の信号のうちの第１の部分に逆変換されるとともに、検出された拡散符号を利用して第３の信号が逆拡散され、第２の信号のうちの第２の部分が復調される。そして、そのようにして復元された第１および第２の部分からなる第２の信号が、第１の信号に復号される。
【００３４】
第２の信号処理装置は、信号を単に復調および復号する装置であってもよいし、信号を符号化および変調するとともに、信号を復調および復号する装置であってもよい。
【００３５】
【発明の実施の形態】
図１は、本発明が適用される信号処理システムとしての画像信号伝送システム１の構成例を表している。
【００３６】
図１に示されるように、画像信号伝送システム１には、送信システム２１として、入力した画像信号を、所定の方式で情報源符号化し、さらに、所定の方式で変調して、それを伝送信号として出力する画像信号符号化装置１１、および、画像信号符号化装置１１から供給される伝送信号を所定の伝送路（図示せず）に送信する送信装置１２が設けられている。
【００３７】
なお、この伝送路は、特に限定されず、有線でもよいし、無線でもよい。また、所定のネットワークを介するものであってもよいし、送信装置１２と後述する受信装置１３を直接結ぶものであってもよい。
【００３８】
画像信号伝送システム１にはまた、受信システム２２として、送信装置１２から送信され、上述した伝送路に沿って伝送されてくる伝送信号を受信する受信装置１３、および、受信装置１３より供給される伝送信号を、画像信号符号化装置１１と対応する方式を利用して、情報源符号化された画像信号に復調し、さらに、画像信号符号化装置１１と対応する方式を利用して、画像信号符号化装置１１に入力された時点の画像信号に復号して、それを復号画像信号として外部に出力する画像信号復号装置１４が設けられている。
【００３９】
なお、図１の例では、画像信号符号化装置１１と送信装置１２は、それぞれ別の装置とされているが、それらを組み合わせた１つの装置とすることも可能である。同様に、受信装置１３と画像信号復号装置１４は、それぞれ別の装置とされているが、それらを組み合わせた１つの装置とすることも可能である。
【００４０】
また、図１の例では、伝送の対象となる信号は、画像信号とされているが、図１の例に限定されるものではなく、画像信号伝送システム１においては、様々な情報を表す信号が伝送可能である。
【００４１】
図２は、図１の画像信号符号化装置１１の詳細な構成例を表している。
【００４２】
図２に示されるように、画像信号符号化装置１１には、入力した画像信号を、ＡＤＲＣ（Ａｄａｐｔｉｖｅ　Ｄｙｎａｍｉｃ　Ｒａｎｇｅ　Ｃｏｄｉｎｇ）方式により符号化して、ＭＩＮ、ＤＲ、および、Ｑｃｏｄｅとして出力するＡＤＲＣ符号化部３１、並びに、ＡＤＲＣ符号化部３１より供給された信号（ＭＩＮ、ＤＲ、および、Ｑｃｏｄｅ）そのものから得られる特徴量、若しくは、外部から供給される選択信号種別に基づいて、ＡＤＲＣ符号化部３１より供給される信号（ＭＩＮ、ＤＲ、および、Ｑｃｏｄｅ）の中から、１つ、若しくは２つの信号を変調信号として選択し、拡散符号変換部３３に供給するとともに、残りの信号（変調信号として選択されなかった信号）を、非選択信号として拡散変調部３４に供給する変調信号選択部３２が設けられている。
【００４３】
なお、図２の例では、画像信号は、ＡＤＲＣ方式により符号化されるが、画像信号に対する情報源符号化の方式は、図２の例に限定されず、画像信号符号化装置１１は、ＡＤＲＣ符号化部３１の代わりに、所定の方式（ＡＤＲＣ方式とは異なる方式）により、画像信号を符号化するブロックを搭載することで、画像信号を、その方式により符号化することが可能になる。
【００４４】
画像信号符号化装置１１にはまた、変調信号選択部３２より供給された変調信号を、後述する拡散変調部３４が非選択信号を変調する場合に利用する拡散符号に付されている番号（そのような番号を、以下、ｉｎｄｅｘ番号と称する）が、所定の順番で複数個並べられた列（そのような列を、以下、ｉｎｄｅｘ番号の列と称する）に変換する拡散符号変換部３３、および、変調信号選択部３２より供給された非選択信号（変調信号選択部３２により変調信号として選択されなかった信号）を、拡散符号変換部３３より供給されたｉｎｄｅｘ番号の列に基づいて拡散変調し、伝送信号として送信装置１２に供給する拡散変調部３４が設けられている。即ち、拡散変調部３４は、予め設定されている複数の拡散符号の中から、拡散符号変換部３３より供給されたｉｎｄｅｘ番号の列に含まれる各ｉｎｄｅｘ番号のそれぞれに対応する拡散符号を検索し、検索した拡散符号のそれぞれを利用して、非選択信号を拡散変調する。
【００４５】
なお、この例においては、例えば、拡散変調部３４が利用する変調方式は、スペクトル拡散の１手法である直接拡散（ＤＳ）とされ、かつ、それに利用される拡散符号は、後述する図８のＰＮ（Ｐｓｅｕｄｏ　Ｎｏｉｓｅ）符号表１１３に含まれるｉｎｄｅｘ番号０乃至１５のいずれかに対応する１６個のＰＮ符号とされる。
【００４６】
ただし、変調方式は、拡散変調を行う方式であれば、この例の方式に限定されず、また、拡散符号の種類と数も、この例に限定されるものではなく、拡散変調部３４が利用する変調方式に対応するものであれば、任意の種類、および、任意の数とすることが可能である。
【００４７】
図３は、図２の拡散符号変換部３３の詳細な構成例を表している。
【００４８】
図３に示されるように、拡散符号変換部３３には、変調信号選択部３２より供給されてくる変調信号を、供給されてくる順に整列して蓄積する変調信号記憶部５１、および、変調信号記憶部５１に記憶された変調信号を、元のフォーマットとは異なるフォーマットに変換し、それをｉｎｄｅｘ番号として読出し、読み出した複数のｉｎｄｅｘ番号を読み出した順に並べて、ｉｎｄｅｘ番号の列を生成し、拡散変調部３４に供給するｉｎｄｅｘ番号読み出し部５２が設けられている。
【００４９】
なお、ｉｎｄｅｘ番号の列の具体的な生成方法、および、ｉｎｄｅｘ番号の列を利用する非選択信号の拡散変調方法の詳細については、後述する。
【００５０】
図４は、図１の画像信号復号装置１４の構成例を表している。
【００５１】
図４に示されるように、受信装置１３より供給された伝送信号を、画像信号符号化装置１１の拡散変調部３４（図２）が利用しうる全ての拡散符号（この例では、後述する図１１（図８）のＰＮ符号表１１３に含まれるｉｎｄｅｘ番号０乃至１５のそれぞれに対応するＰＮ符号）のそれぞれを利用して逆拡散し、その逆拡散の結果に基づいて、伝送信号に実際に用いられた拡散符号（拡散変調部３４（図２）が、非選択信号を変調する場合に利用した拡散符号）を検出し、検出した拡散符号に対応するｉｎｄｅｘ番号を変調信号変換部６２に供給するとともに、検出した拡散符号を利用して伝送信号を逆拡散して、非選択信号（変調信号選択部３２（図２）により変調信号として選択されなかったものと同様の非選択信号）を復調し、信号種類識別部６３に供給する拡散復調部６１が設けられている。
【００５２】
図５を参照して、拡散復調部６１の詳細をさらに説明する。
【００５３】
図５に示されるように、拡散復調部６１には、後述する図１１（図８）のＰＮ符号表１１３を予め記憶しているＰＮ符号記憶部７１、入力した伝送信号と、ＰＮ符号記憶部７１に記憶されている全てのＰＮ符号（ＰＮ符号表１１３に含まれる全てのＰＮ符号）のそれぞれとの相関係数を順次演算する相関演算部７２、相関演算部７２より順次供給される相関係数を蓄積する相関係数記憶部７３、および、相関係数記憶部７３に蓄積された相関係数のうちの最大のものを検出し、それに対応するＰＮ符号のｉｎｄｅｘ番号を出力する最大値検出部７４が設けられている。即ち、この例においては、最大値検出部７４は、ｉｎｄｅｘ番号として０乃至１５のうちのいずれかの値を、後述する変調信号変換部６２に供給するとともに、逆拡散部７５に供給する。
【００５４】
拡散復調部６１にはまた、最大値検出部７４より供給されたｉｎｄｅｘ番号に対応するＰＮ符号をＰＮ符号記憶部７１より検索し（読み出し）、そのＰＮ符号を利用して伝送信号を逆拡散して、非選択信号を復調し、後述する信号種類識別部６３に供給する逆拡散部７５が設けられている。
【００５５】
図４に戻り、画像信号復号装置１４にはまた、拡散復調部６１より順次供給される複数のｉｎｄｅｘ番号を、供給される順番に並べて、画像信号符号化装置１１の拡散符号変換部３３（図２）より出力されたものと同様のｉｎｄｅｘ番号の列を復元し、そのｉｎｄｅｘ番号の列を、拡散符号変換部３３に入力されたもの（変調信号選択部３２（図２）より出力されたもの）と同様の変調信号に逆変換する変調信号変換部６２が設けられている。
【００５６】
図６を参照して、変調信号変換部６２の詳細をさらに説明する。
【００５７】
図６に示されるように、変調信号変換部６２には、拡散復調部６１より順次供給されてくる複数のｉｎｄｅｘ番号を、供給される順番に並べて（整列して）、それをｉｎｄｅｘ番号の列として記憶するｉｎｄｅｘ番号記憶部９１、および、ｉｎｄｅｘ番号記憶部９１に記憶されたｉｎｄｅｘ番号の列を、変調信号に対応するフォーマットで読み出し（変調信号に変換し）、信号種類識別部６３に供給する変調信号読み出し部９２が設けられている。
【００５８】
図４に戻り、画像信号復号装置１４にはまた、信号種類識別部６３、および、ＡＤＲＣ復号部６４が設けられている。
【００５９】
信号種類識別部６３は、拡散復調部６１より供給される非選択信号、および、変調信号変換部６２より供給される変調信号そのものから得られる特徴量、または、外部から供給される選択信号種別に基づいて、供給された非選択信号、および、変調信号のそれぞれが、ＡＤＲＣ符号化部３１（図２）より出力されたＭＩＮ、ＤＲ、および、Ｑｃｏｄｅのいずれに相当するのかを識別し、識別したＭＩＮ、ＤＲ、および、ＱｃｏｄｅをＡＤＲＣ復号部６４に供給する。
【００６０】
ＡＤＲＣ復号部６４は、ＡＤＲＣ方式により、信号種類識別部６３より供給されたＭＩＮ、ＤＲ、および、Ｑｃｏｄｅから、画像信号符号化装置１１（図１）に入力された時点のものと同様の画像信号を復号し、それを復号画像信号として外部に出力する。
【００６１】
なお、図１の送信装置１２と受信装置１３は、上述した所定の伝送路に沿って伝送信号を伝送可能なものであれば、その構成は特に限定されず、例えば、後述する図１３に示されるようなパーソナルコンピュータ等として構成することが可能である。
【００６２】
次に、図７のフローチャートを参照して、図２の画像信号符号化装置１１の処理を説明する。
【００６３】
はじめに、ステップＳ１において、変調信号選択部３２は、これからＡＤＲＣ符号化部３１より出力されるＭＩＮ、ＤＲ、および、Ｑｃｏｄｅのうちの、ＭＩＮとＤＲを変調信号として用いることを選択する。
【００６４】
なお、変調信号選択部３２は、変調信号として、この例においては、上述したように、ＭＩＮとＤＲを選択したが、これら以外にも、ＭＩＮ、ＤＲ、および、Ｑｃｏｄｅのうちの１つ、若しくは２つの信号を自在に選択することが可能である。
【００６５】
ステップＳ２において、ＡＤＲＣ符号化部３１は、入力されてくる画像信号を、４×４画素のブロックを単位として、ＡＤＲＣにより符号化する。
【００６６】
例えば、いま、図８に示されるように、ＡＤＲＣ符号化部３１が、ＡＤＲＣ方式により、ＭＩＮに８ビット、ＤＲに８ビット、Ｑｃｏｄｅに３ビットをそれぞれ割り当てる条件で、４×４画素のブロック１０１を符号化したところ、ＭＩＮ＝１２８、ＤＲ＝６４、および、Ｑｃｏｄｅ＝｛０，２，５，７，３，４，６，５，１，４，２，１，３，３，１，０｝となり、それらのＭＩＮ、ＤＲ、および、Ｑｃｏｄｅを変調信号選択部３２に供給したとする。
【００６７】
この場合、上述したように、変調信号選択部３２は、ステップＳ１の処理でＭＩＮとＤＲを変調信号として選択することを決定したので、ＡＤＲＣ符号化部３１から供給されたＭＩＮ、ＤＲ、および、Ｑｃｏｄｅのうちの、ＭＩＮとＤＲを変調信号として拡散符号変換部３３に供給するとともに、Ｑｃｏｄｅを非選択信号として拡散変調部３４に供給する。
【００６８】
図７に戻り、このとき、ステップＳ３において、拡散符号変換部３３は、変調信号（ＭＩＮ，ＤＲ）をｉｎｄｅｘ番号の列に変換し、拡散変調部３４に供給する。
【００６９】
具体的には、いまの場合、図３の変調信号記憶部５１は、変調信号選択部３２より供給されてくる変調信号を、ＭＩＮ（１２８），ＤＲ（６４）の順に整列して記憶する。
【００７０】
ｉｎｄｅｘ番号読み出し部５２は、図８に示されるように、変調信号記憶部５１にＭＩＮ（１２８），ＤＲ（６４）の順で記憶された変調信号を、１６ビットの２進数１１１として読み出す。即ち、いまの場合、２進数１１１は、（０１００　０００１　００１００００１）となる。
【００７１】
この例においては、上述したように、後述するステップＳ４の処理で拡散変調部３４（図２）が利用する変調方法は、直接拡散（ＤＳ）とされ、かつ、それに利用される拡散符号は、図８のＰＮ符号表１１３に含まれるｉｎｄｅｘ番号０乃至１５のうちのいずれかが付された１６個のＰＮ符号とされている。また、ｉｎｄｅｘ番号は、０乃至１５のうちのいずれかの値とされるので、４ビットで表現が可能である。
【００７２】
従って、ｉｎｄｅｘ番号読み出し部５２は、図８に示されるように、ＭＩＮ（１２８）とＤＲ（６４）がその順に並べられた２進数１１１を、先頭から４ビット毎に１０進数で読み替えて、それらの１０進数をｉｎｄｅｘ番号とするｉｎｄｅｘ番号の列１１２を生成し、拡散変調部３４に供給する。即ち、いまの場合、拡散変調部３４に供給されるｉｎｄｅｘ番号の列１１２は、｛４，１，２，１｝となる。
【００７３】
図７に戻り、ステップＳ４において、図２の拡散変調部３４は、ステップＳ３の処理で拡散符号変換部３３により変換され、供給されたｉｎｄｅｘ番号の列１１２を利用して（ｉｎｄｅｘ番号の列１１２の所定の位置に配置されているｉｎｄｅｘ番号（いまの場合、４，１，２，１のうちのいずれかのｉｎｄｅｘ番号）に対応するＰＮ符号を利用して）、ステップＳ２の処理で変調信号選択部３２より供給された非選択信号（Ｑｃｏｄｅ）を１２ビット毎に拡散変調し、それを伝送信号として送信装置１２に順次供給する。
【００７４】
ステップＳ５において、拡散変調部３４は、ブロック（いまの場合、４×４画素のブロック１０１（図８））内の全ての非選択信号（Ｑｃｏｄｅ）を拡散変調したか否かを判定する。
【００７５】
ステップＳ５において、拡散変調部３４は、ブロック内の全ての非選択信号（Ｑｃｏｄｅ）を拡散変調していないと判定した場合、処理をステップＳ４に戻し、ｉｎｄｅｘ番号の列１１２に含まれる所定の位置（ただし、後述するように、直前のステップＳ４の処理で利用したｉｎｄｅｘ番号の位置とは異なる位置）に配置されているｉｎｄｅｘ番号に対応するＰＮ符号を利用して、非選択信号（Ｑｃｏｄｅ）のうちの次の１２ビットの信号（データ）を拡散変調する。
【００７６】
これに対して、ステップＳ５において、拡散変調部３４は、ブロック内の全ての非選択信号（Ｑｃｏｄｅ）を拡散変調したと判定した場合、その処理をステップＳ６に進める。
【００７７】
具体的には、いまの場合、拡散変調部３４は、はじめに、非選択信号であるＱｃｏｄｅ＝｛０，２，５，７，３，４，６，５，１，４，２，１，３，３，１，０｝の各要素（４×４＝１６個の要素）のそれぞれを３ビットの２進数で表し、それらを１列につなげる。
【００７８】
即ち、Ｑｃｏｄｅ＝｛０，２，５，７，３，４，６，５，１，４，２，１，３，３，１，０｝が、４８ビット（１６［要素］×３［ビット／要素］）のビット列（０００　０１０　１０１　１１１　０１１　１００　１１０１０１　００１　１００　０１０　００１　０１１　０１１　００１　０００）に変換される。
【００７９】
そして、拡散変調部３４は、このＱｃｏｄｅに対応する４８ビットのビット列を構成する各ビットのそれぞれに対して、拡散符号変換部３３より供給されたｉｎｄｅｘ番号の列１１２の所定の位置に配置されているｉｎｄｅｘ番号に対応するＰＮ符号を掛け合わせてスペクトル拡散し、伝送信号として送信装置１２に供給する。
【００８０】
なお、伝送信号のうちの、同一のＰＮ符号が利用されるビットのビット数は、画像信号符号化装置１１（図１）と画像信号復号装置１４（図１）の間で予め決定されている必要がある。この例においては、上述したように、例えば、１２ビットとされている。即ち、この例においては、伝送信号は、１２ビット毎に利用されるＰＮ符号が切り換えられる。
【００８１】
より具体的には、いまの場合、ステップＳ３の処理が完了されると、ステップＳ４の処理で、拡散変調部３４は、図９に示されるように、上述したＱｃｏｄｅに対応する４８ビットのビット列のうちの先頭の１２ビット分の２進数（０００　０１０　１０１　１１１）、即ち、４×４画素のブロック１０１（図８）のうちの１行目の画素１０１−１に対するＱｃｏｄｅの２進数１１４−１に対して、ｉｎｄｅｘ番号の列１１２のうちの左から１番目（先頭）のｉｎｄｅｘ番号（４）に対応するＰＮ符号（１１０１０）を掛け合わせて、６０ビットのビット列（０００００　０００００　０００００　０００００　１１０１０　０００００　１１０１０　０００００　１１０１０　１１０１０　１１０１０　１１０１０）を生成し、それを、伝送信号１１５−１として送信装置１２に供給する。
【００８２】
いまの時点では、拡散変調部３４は、上述したＱｃｏｄｅに対応する４８ビットのビット列のうちの先頭の１２ビット分以外のデータを拡散変調していないので、ステップＳ５（図７）の処理で、ブロック内の全ての非選択信号を拡散変調していないと判定する。
【００８３】
そして、拡散変調部３４は、その処理をステップＳ４（図７）に戻し、上述したＱｃｏｄｅに対応する４８ビットのビット列のうちの、先頭の１２ビットに続く次の１２ビット分の２進数（０１１　１００　１１０　１０１）、即ち、４×４画素のブロック１０１（図８）のうちの２行目の画素１０１−２に対するＱｃｏｄｅの２進数１１４−２に対して、ｉｎｄｅｘ番号の列１１２のうちの左から２番目のｉｎｄｅｘ番号（１）に対応するＰＮ符号（１００１０）を掛け合わせて、６０ビットのビット列（０００００　１００１０　１００１０　１００１０　０００００　０００００　１００１０　１００１０　０００００　１００１０　０００００　１００１０）を生成し、それを、伝送信号１１５−２として送信装置１２に供給する。
【００８４】
いまの時点では、拡散変調部３４は、上述したＱｃｏｄｅに対応する４８ビットのビット列のうちの先頭の２４ビット分以外のデータを拡散変調していないので、ステップＳ５（図７）の処理で、ブロック内の全ての非選択信号を拡散変調していないと判定する。
【００８５】
そして、拡散変調部３４は、その処理をステップＳ４（図７）に戻し、上述したＱｃｏｄｅに対応する４８ビットのビット列のうちの、先頭の２４ビットに続く次の１２ビット分の２進数（００１　１００　０１０　００１）、即ち、４×４画素のブロック１０１（図８）のうちの３行目の画素１０１−３に対するＱｃｏｄｅの２進数１１４−３に対して、ｉｎｄｅｘ番号の列１１２のうちの左から３番目のｉｎｄｅｘ番号（２）に対応するＰＮ符号（１０１００）を掛け合わせて、６０ビットのビット列（０００００　０００００　１０１００　１０１００　０００００　０００００　０００００　１０１００　０００００　０００００　０００００　１０１００）を生成し、それを、伝送信号１１５−３として送信装置１２に供給する。
【００８６】
いまの時点では、拡散変調部３４は、上述したＱｃｏｄｅに対応する４８ビットのビット列のうちの先頭の３６ビット分以外のデータ（最後の１２ビット分のデータ）を拡散変調していないので、ステップＳ５（図７）の処理で、ブロック内の全ての非選択信号を拡散変調していないと判定する。
【００８７】
そして、拡散変調部３４は、その処理をステップＳ４（図７）に戻し、上述したＱｃｏｄｅに対応する４８ビットのビット列のうちの、先頭の３６ビットに続く次の１２ビット（最後の１２ビット）分の２進数（０１１　０１１　００１　０００）、即ち、４×４画素のブロック１０１（図８）のうちの４行目の画素１０１−４に対するＱｃｏｄｅの２進数１１４−４に対して、ｉｎｄｅｘ番号の列１１２のうちの左から４番目（最後）のｉｎｄｅｘ番号（１）に対応するＰＮ符号（１００１０）を掛け合わせて、６０ビットのビット列（０００００　１００１０　１００１０　０００００　１００１０　１００１０　０００００　０００００　１００１０　０００００　０００００　０００００）を生成し、それを、伝送信号１１５−４として送信装置１２に供給する。
【００８８】
即ち、送信装置１２には、４×４画素のブロック１０１（図８）に対応する伝送信号として、図９に示される伝送信号１１５−１乃至１１５−４がその順番で供給される。
【００８９】
このようにして、拡散変調部３４は、４×４画素のブロック１０１（図８）に対応する伝送信号（伝送信号１１５−１乃至１１５−４）を送信装置１２に供給すると、図７のステップＳ５において、ブロック内の全ての非選択信号を拡散変調したと判定する。
【００９０】
ステップＳ６において、図１の画像信号符号化装置１１は、伝送すべき画像中の全てのブロックを処理したか否かを判定する。
【００９１】
即ち、画像信号符号化装置１１は、入力した全ての画像信号のうちの少なくとも一部を、伝送信号として送信装置１２にまだ供給していない場合、ステップＳ６において、伝送すべき画像中の全てのブロックを処理していないと判定し、その処理をステップＳ２に戻し、それ以降の処理を繰り返す。即ち、まだ処理されていない次の４×４画素のブロックに対して、上述したステップＳ２乃至Ｓ５の処理が施され、その４×４画素のブロックに対応する伝送信号が送信装置１２に供給される。
【００９２】
そして、そのようなステップＳ２乃至Ｓ６の処理が繰り返されて、画像信号符号化装置１１に入力された全ての画像信号が、伝送信号に変換されて送信装置１２に供給されると、ステップＳ６において、伝送すべき画像中の全てのブロックを処理したと判定され、その処理が終了される。
【００９３】
次に、図１０のフローチャートを参照して、図４の画像信号復号装置１４の処理を説明する。
【００９４】
この例においては、説明の簡略上、例えば、伝送信号として、上述した４×４画素のブロック１０１（図８）に対応する伝送信号１１５−１乃至１１５−４（図９）のみが、送信装置１２（図１）から送信され、受信装置１３（図１）を介して画像信号復号装置１４に供給されてきたとする。
【００９５】
伝送信号１１５−１乃至１１５−４は、上述したように（図８と図９に示されるように）、次のようにして生成されたものである。即ち、４×４画素のブロック１０１が、ＡＤＲＣ方式により符号化されて、ＭＩＮ、ＤＲ、および、Ｑｃｏｄｅとなり、そのうちのＭＩＮ、および、ＤＲが変調信号として選択されるとともに、Ｑｃｏｄｅが、実際に伝送される信号（非選択信号）として選択される。そして、Ｑｃｏｄｅが１２ビット毎に分割された画素１０１−１に対するＱｃｏｄｅの２進数１１４−１乃至画素１０１−４に対するＱｃｏｄｅの２進数１１４−４のそれぞれに、対応する５ビットのＰＮ符号（ＭＩＮ、および、ＤＲから変換されたｉｎｄｅｘ番号の列１１２の対応する位置に配置されているｉｎｄｅｘ番号のＰＮ符号）が掛け合わせられて、６０ビットの２進数で構成される伝送信号１１５−１乃至１１５−４のそれぞれが生成される。
【００９６】
従って、この例においては、図１０のステップＳ２１において、図４の拡散復調部６１は、伝送信号を６０ビット毎に全てのＰＮ符号（この例では、図８のＰＮ符号表１１３に含まれる全てのＰＮ符号（ｉｎｄｅｘ番号０乃至１５のいずれかに対応する１６個のＰＮ符号））で相関演算を行う。即ち、拡散復調部６１は、伝送信号１１５−１乃至１１５−４のそれぞれに対して、全てのＰＮ符号で相関演算を行う。
【００９７】
具体的には、いまの場合、伝送信号１１５−１乃至１１５−４は、その順番で順次拡散復調部６１に供給されてくるので、はじめに、ステップＳ２１において、図５の相関演算部７２が、図１１に示されるように、伝送信号１１５−１と、ＰＮ符号記憶部７１に記憶されているＰＮ符号表１１３に含まれる全てのＰＮ符号（ｉｎｄｅｘ番号０乃至１５のいずれかに対応する１６個のＰＮ符号））のそれぞれとの相関係数を順次演算し、相関係数記憶部７３に記憶させる。
【００９８】
図１０のステップＳ２２において、最大値検出部７４は、ステップＳ２１の処理で相関係数記憶部７３に記憶された相関係数のうちの最大のものを検出し、それに対応するＰＮ符号のｉｎｄｅｘ番号（最も相関の高いＰＮ符号のｉｎｄｅｘ番号）を出力する。
【００９９】
いまの場合、図１１に示されるように、伝送信号１１５−１においては、最も相関の高いＰＮ符号のｉｎｄｅｘ番号は、ＰＮ符号（１１０１０）のｉｎｄｅｘ番号（４）とされるので、ｉｎｄｅｘ番号として、４が最大値検出部７４より出力される。
【０１００】
最大値検出部７４より出力されたｉｎｄｅｘ番号（いまの場合、４）は、変調信号変換部６２に供給されるとともに、逆拡散部７５に供給される。
【０１０１】
このとき、図１０のステップＳ２３において、逆拡散部７５は、ステップＳ２２の処理で最大値検出部７４より出力されたｉｎｄｅｘ番号のＰＮ符号を利用して、６０ビット毎の伝送信号から、それに対応する非選択信号を逆拡散により復調し、信号種類識別部６３に供給する。
【０１０２】
具体的には、いまの場合、図１１に示されるように、逆拡散部７５は、最大値検出部７４より供給された４に対応するＰＮ符号（ｉｎｄｅｘ番号４に対応するＰＮ符号）を、ＰＮ符号記憶部７１に記憶されたＰＮ符号表１１３より検索し、即ち、ＰＮ符号（１１０１０）を検索し、このＰＮ符号（１１０１０）を利用して、伝送信号１１５−１を逆拡散して、図９のものと同様の画素１０１−１に対するＱｃｏｄｅの２進数１１４−１を復号する。そして、逆拡散部７５は、復号した画素１０１−１に対するＱｃｏｄｅの２進数１１４−１を、先頭から３ビット毎に１０進数で読み直し、読み直した（０，２，５，７）を、伝送信号１１５−１に対応する非選択信号として信号種類識別部６３に供給する。
【０１０３】
図１０のステップＳ２４において、逆拡散部７５は、ブロック単位に対応するｉｎｄｅｘ番号が全て最大値検出部７４より出力されたか否かを判定する。
【０１０４】
いまの時点では、４×４画素のブロック１０１（図８）に対応する伝送信号１１５−１乃至１１５−４のうちの、伝送信号１１５−２乃至１１５−４に対応するｉｎｄｅｘ番号がまだ逆拡散部７５に入力されていないので、ブロック単位に対応するｉｎｄｅｘ番号が全て出力されていないと判定され、処理はステップＳ２１に戻り、それ以降の処理が繰り返される。
【０１０５】
即ち、図１１に示されるように、今度は、ステップＳ２１（図１０）の処理で、伝送信号１１５−２と、ＰＮ符号表１１３に含まれる全てのＰＮ符号のそれぞれとの相関演算が行われ、ステップＳ２２（図１０）の処理で、最も相関の高いＰＮ符号のｉｎｄｅｘ番号として、ＰＮ符号（１００１０）のｉｎｄｅｘ番号（１）が、変調信号変換部６２に供給されるとともに、逆拡散部７５に供給される。
【０１０６】
ステップＳ２３（図１０）の処理で、このｉｎｄｅｘ番号（１）に対応するＰＮ符号（１００１０）を利用して伝送信号１１５−２が逆拡散されて、図９のものと同様の画素１０１−２に対するＱｃｏｄｅの２進数１１４−２が復号される。そして、この画素１０１−２に対するＱｃｏｄｅの２進数１１４−２が、先頭から３ビット毎に１０進数で読み直され、（３，４，６，５）とされて、それが、伝送信号１１５−２に対応する非選択信号として信号種類識別部６３に供給される。
【０１０７】
いまの時点では、４×４画素のブロック１０１（図８）に対応する伝送信号１１５−１乃至１１５−４のうちの、伝送信号１１５−３と伝送信号１１５−４に対応するｉｎｄｅｘ番号がまだ逆拡散部７５に入力されていないので、図１０のステップＳ２４の処理で、ブロック単位に対応するｉｎｄｅｘ番号が全て出力されていないと判定され、処理はステップＳ２１に戻り、それ以降の処理が繰り返される。
【０１０８】
即ち、図１１に示されるように、今度は、ステップＳ２１（図１０）の処理で、伝送信号１１５−３と、ＰＮ符号表１１３に含まれる全てのＰＮ符号のそれぞれとの相関演算が行われ、ステップＳ２２（図１０）の処理で、最も相関の高いＰＮ符号のｉｎｄｅｘ番号として、ＰＮ符号（１０１００）のｉｎｄｅｘ番号（２）が、変調信号変換部６２に供給されるとともに、逆拡散部７５に供給される。
【０１０９】
ステップＳ２３（図１０）の処理で、このｉｎｄｅｘ番号（２）に対応するＰＮ符号（１０１００）を利用して伝送信号１１５−３が逆拡散されて、図９のものと同様の画素１０１−３に対するＱｃｏｄｅの２進数１１４−３が復号される。そして、この画素１０１−３に対するＱｃｏｄｅの２進数１１４−３が、先頭から３ビット毎に１０進数で読み直されて、（１，４，２，１）とされ、それが、伝送信号１１５−３に対応する非選択信号として信号種類識別部６３に供給される。
【０１１０】
いまの時点では、４×４画素のブロック１０１（図８）に対応する伝送信号１１５−１乃至１１５−４のうちの、最後の伝送信号１１５−４に対応するｉｎｄｅｘ番号がまだ逆拡散部７５に入力されていないので、図１０のステップＳ２４の処理で、ブロック単位に対応するｉｎｄｅｘ番号が全て出力されていないと判定され、処理はステップＳ２１に戻り、それ以降の処理が繰り返される。
【０１１１】
即ち、図１１に示されるように、今度は、ステップＳ２１（図１０）の処理で、伝送信号１１５−４と、ＰＮ符号表１１３に含まれる全てのＰＮ符号のそれぞれとの相関演算が行われ、ステップＳ２２（図１０）の処理で、最も相関の高いＰＮ符号のｉｎｄｅｘ番号として、ＰＮ符号（１００１０）のｉｎｄｅｘ番号（１）が、変調信号変換部６２に供給されるとともに、逆拡散部７５に供給される。
【０１１２】
ステップＳ２３（図１０）の処理で、このｉｎｄｅｘ番号（１）に対応するＰＮ符号（１００１０）を利用して伝送信号１１５−４が逆拡散されて、図９のものと同様の画素１０１−４に対するＱｃｏｄｅの２進数１１４−４が復号される。そして、この画素１０１−４に対するＱｃｏｄｅの２進数１１４−４が、先頭から３ビット毎に１０進数で読み直されて、（３，３，１，０）とされ、それが、伝送信号１１５−４に対応する非選択信号として信号種類識別部６３に供給される。
【０１１３】
このようにして、図４の拡散復調部６１より、伝送信号１１５−１乃至１１５−４のそれぞれに対応するｉｎｄｅｘ番号として、４，１，２，１がその順番で変調信号変換部６２に供給されるとともに、伝送信号１１５−１乃至１１５−４のそれぞれから、逆拡散により復調された非選択信号として、（０，２，５，７），（３，４，６，５），（１，４，２，１），（３，３，１，０）がその順番に信号種類識別部６３に供給されると、図１０のステップＳ２４の処理で、ブロック（いまの場合、２×２画素のブロック１０１（図８））に対応するｉｎｄｅｘ番号が全て出力されたと判定される。
【０１１４】
そして、ステップＳ２５において、変調信号変換部６２は、拡散復調部６１より供給された伝送信号１１５−１乃至１１５−４のそれぞれに対応するｉｎｄｅｘ番号、即ち、４，１，２，１をその順番で並べて、図８のものと同様のｉｎｄｅｘ番号の列１１２を復元し、復元したブロック（いまの場合、２×２画素のブロック１０１（図８））単位のｉｎｄｅｘ番号の列１１２を変調信号に逆変換して、信号種類識別部６３に供給する。
【０１１５】
具体的には、図６のｉｎｄｅｘ番号記憶部９１は、ｉｎｄｅｘ番号として、４，１，２，１が、その順番で拡散復調部６１より順次供給されてくるので、４，１，２，１をその順番で整列して記憶する。
【０１１６】
変調信号読み出し部９２は、ｉｎｄｅｘ番号記憶部９１に記憶された４，１，２，１を１つの列として、即ち、図１２に示されるように、ｉｎｄｅｘ番号の列１１２として読み出し、それを２進数１１１に読み替える。
【０１１７】
そして、変調信号読み出し部９２は、２進数１１１のうちの先頭の８ビット分（０１０００００１）を１０進数に読み替えた１２８と、残り（後半）の８ビット分（００１００００１）を１０進数に読み替えた６４を、変調信号として信号種類識別部６３に供給する。
【０１１８】
図１０のステップＳ２６において、図４の信号種類識別部６３は、変調信号変換部６２より供給された変調信号が、ＭＩＮ、ＤＲ、Ｑｃｏｄｅのうちのいずれに当たるかを特定する。
【０１１９】
いまの場合、上述したように、信号種類識別部６３には、変調信号として、１２８と６４が供給されるとともに、非選択信号として、（０，２，５，７），（３，４，６，５），（１，４，２，１），（３，３，１，０）がその順序で供給されたので、図１２に示されるように、信号種類識別部６３は、１２８をＭＩＮとして、６４をＤＲとして、（０，２，５，７，３，４，６，５，１，４，２，１，３，３，１，０）をＱｃｏｄｅとして識別し、識別したそれらをＡＤＲＣ復号部６４に供給する。
【０１２０】
即ち、信号種類識別部６３は、ＭＩＮ＝１２８、ＤＲ＝６４、および、Ｑｃｏｄｅ＝｛０，２，５，７，３，４，６，５，１，４，２，１，３，３，１，０｝をＡＤＲＣ復号部６４に供給する。
【０１２１】
図１０のステップＳ２７において、ＡＤＲＣ復号部６４は、信号種類識別部６３より供給されたＭＩＮ、ＤＲ、および、Ｑｃｏｄｅから、ＡＤＲＣ方式により、画像信号符号化装置１１に入力された時点のものと同様の画像信号（図１）を復号し、それを復号画像信号として外部に出力する。
【０１２２】
具体的には、いまの場合、図１２に示されるように、ＭＩＮ＝１２８、ＤＲ＝６４、および、Ｑｃｏｄｅ＝｛０，２，５，７，３，４，６，５，１，４，２，１，３，３，１，０｝から、図８のものと同様の４×４画素のブロック１０１が復号される。
【０１２３】
図１０のステップＳ２８において、図１の画像信号復号装置１４は、全ての伝送信号を処理したか否かを判定する。
【０１２４】
いまの場合、伝送信号は、上述したように、伝送信号１１５−１乃至１１５−４のみとされ、これらの伝送信号１１５−１乃至１１５−４に対応する４×４画素のブロック１０１（図１２）が復号されたので（伝送信号１１５−１乃至１１５−４が全て処理されたので）、ステップＳ２８において、全ての伝送信号が処理されたと判定され、その処理は終了される。
【０１２５】
勿論、伝送信号は、上述した伝送信号１１５−１乃至１１５−４のみに限定されず、画像信号復号装置１４は、受信装置１３よりさらに他の伝送信号が供給されてきた場合、ステップＳ２８の処理で、全ての伝送信号を処理していないと判定し、その処理をステップＳ２１に戻し、新たに供給された他の伝送信号に対して、上述したステップＳ２１乃至Ｓ２７の処理を施し、他の伝送信号に対応する復号画像信号を外部に出力することができる。
【０１２６】
図１の画像信号伝送システム１においては、以上のような処理が実行されて、画像信号が伝送されるようにしたので、以下のような効果を奏することが可能になる。
【０１２７】
即ち、従来の画像信号伝送システムにおいては、上述したように、伝送すべき信号と変調に用いる信号との間には関連がなく、かつ、変調に用いる信号には意味がなかったため、伝送すべき信号を全て伝送する必要があった。
【０１２８】
これに対して、本発明が適用される画像信号伝送システム１においては、上述したように、伝送すべき信号（図２のＡＤＲＣ符号化部３１より出力されるＭＩＮ、ＤＲ、および、Ｑｃｏｄｅ）のうちの一部の信号（上述した例では、ＭＩＮ、および、ＤＲ）を変調信号として用いることで変調信号にも意味を持たせ、かつ、その変調信号を用いて、伝送すべき信号のうちの残りの信号（Ｑｃｏｄｅ）を変調して、それを実際に伝送する伝送信号とするようにしたので、従来のものに比較して、伝送信号の情報量を削減することが可能になる。
【０１２９】
また、上述したように、伝送信号には、ＭＩＮ、および、ＤＲに関する情報は含まれないので、ＭＩＮ、および、ＤＲの部分に伝送路に起因するエラーが発生することは理論上なくなり、その結果、実際に伝送される伝送信号に付加される冗長なエラー訂正符号の量を削減することが可能になる。
【０１３０】
さらに、上述したように、画像信号復号装置１４は、そのようにして伝送された伝送信号（Ｑｃｏｄｅ（非選択信号）が拡散変調された信号）に対して、画像信号符号化装置１１が利用しうる全てのＰＮ符号のそれぞれを利用して逆拡散復調し、その結果に基づいて、ＭＩＮ、および、ＤＲ（変調信号）、並びに、Ｑｃｏｄｅ（非選択信号）の全てを復元することができるので、従来、伝送すべき情報を伝送する本来の通信の前に行われていた、これから利用する拡散符号についての送受信間での合意を形成するための別の通信は必要がなくなるという効果を奏することも可能になる。
【０１３１】
即ち、このように、本発明においては、伝送すべき情報の全てを伝送する必要をなくすとともに、本来の通信の前に行われていた通信の処理の必要をなくすようにしたので、上述した第１と第２の課題を解決することができるという効果を奏することが可能になる。
【０１３２】
上述した一連の処理は、ハードウエアにより実行させることもできるが、ソフトウエアにより実行させることができる。
【０１３３】
この場合、上述した図１の画像信号符号化装置１１、送信装置１２、受信装置１３、および、画像信号復号装置１４は、例えば、図１３に示されるようなパーソナルコンピュータにより構成される。
【０１３４】
図１３に示されるように、ＣＰＵ（Ｃｅｎｔｒａｌ　Ｐｒｏｃｅｓｓｉｎｇ　Ｕｎｉｔ）２０１は、ＲＯＭ（Ｒｅａｄ　Ｏｎｌｙ　Ｍｅｍｏｒｙ）２０２に記録されているプログラム、または記憶部２０８からＲＡＭ（Ｒａｎｄｏｍ　Ａｃｃｅｓｓ　Ｍｅｍｏｒｙ）２０３にロードされたプログラムに従って各種の処理を実行する。ＲＡＭ２０３にはまた、ＣＰＵ２０１が各種の処理を実行する上において必要なデータなども適宜記憶される。
【０１３５】
ＣＰＵ２０１、ＲＯＭ２０２、およびＲＡＭ２０３は、バス２０４を介して相互に接続されている。このバス２０４にはまた、入出力インタフェース２０５も接続されている。
【０１３６】
入出力インタフェース２０５には、キーボード、マウスなどよりなる入力部２０６、ディスプレイなどよりなる出力部２０７、ハードディスクなどより構成される記憶部２０８、モデム、ターミナルアダプタなどより構成される通信部２０９が接続されている。通信部２０９は、他の信号処理装置との通信処理を行い、必要に応じてインターネットを含むネットワークを介する通信処理を行う。
【０１３７】
入出力インタフェース２０５にはまた、必要に応じてドライブ２１０が接続され、磁気ディスク、光ディスク、光磁気ディスク、或いは半導体メモリなどよりなるリムーバブル記録媒体２１１が適宜装着され、それらから読み出されたコンピュータプログラムが、必要に応じて記憶部２０８にインストールされる。
【０１３８】
一連の処理をソフトウエアにより実行させる場合には、そのソフトウエアを構成するプログラムが、専用のハードウエアに組み込まれているコンピュータ、または、各種のプログラムをインストールすることで、各種の機能を実行することが可能な、例えば汎用のパーソナルコンピュータなどに、ネットワークや記録媒体からインストールされる。
【０１３９】
この記録媒体は、図１３に示されるように、装置本体とは別に、ユーザにプログラムを提供するために配布される、プログラムが記録されている磁気ディスク（フロッピディスクを含む）、光ディスク（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク（ＭＤ（Ｍｉｎｉ−Ｄｉｓｋ）を含む）、もしくは半導体メモリなどよりなるリムーバブル記録媒体（パッケージメディア）２１１により構成されるだけでなく、装置本体に予め組み込まれた状態でユーザに提供される、プログラムが記録されているＲＯＭ２０２や、記憶部２０８に含まれるハードディスクなどで構成される。
【０１４０】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【０１４１】
また、本明細書において、システムとは、複数の装置や処理部により構成される装置全体を表すものである。
【０１４２】
【発明の効果】
以上のごとく、本発明によれば、所定の情報を伝送する場合、送信側は、その情報を、情報源符号化し、かつ、変調して、それを伝送信号として送信し、受信側は、送信側から送信されたその伝送信号を、復調、かつ、復号して元の情報に復元することができるシステムを実現することが可能となる。特に、伝送信号を送信側から受信側に伝送する場合、伝送の処理の処理量、および、伝送信号の情報量を抑制することが可能となる。
【０１４３】
また、本発明によれば、所定の情報を送信する場合、その情報を、情報源符号化し、かつ、変調して、それを伝送信号として送信することができる。特に、そのような伝送信号を送信する場合、送信の処理の処理量、および、送信する伝送信号の情報量を抑制することができる。
【０１４４】
さらに、本発明によれば、所定の情報が、情報源符号化され、かつ、変調されて、それが伝送信号として伝送されてきた場合、それを受信し、復調し、かつ、復号して元の情報に復元することができる。特に、そのような伝送信号を受信する場合、受信の処理の処理量、および、受信する伝送信号の情報量を抑制することができる。
【図面の簡単な説明】
【図１】本発明が適用される画像信号伝送システムの構成例を示すブロック図である。
【図２】図１の画像信号伝送システムの画像信号符号化装置の構成例を示すブロック図である。
【図３】図２の画像信号符号化装置の拡散符号変換部の構成例を示すブロック図である。
【図４】図１の画像信号伝送システムの画像信号復号装置の構成例を示すブロック図である。
【図５】図４の画像信号復号装置の拡散復調部の構成例を示すブロック図である。
【図６】図４の画像信号復号装置の変調信号変換部の構成例を示すブロック図である。
【図７】図２の画像信号符号化装置の処理を説明するフローチャートである。
【図８】図２の画像信号符号化装置の具体的な処理を説明する図である。
【図９】図２の画像信号符号化装置の具体的な処理を説明する図である。
【図１０】図４の画像信号復号装置の処理を説明するフローチャートである。
【図１１】図４の画像信号復号装置の具体的な処理を説明する図である。
【図１２】図４の画像信号復号装置の具体的な処理を説明する図である。
【図１３】本発明が適用される信号処理装置の他の構成例を示すブロック図である。
【符号の説明】
１　画像信号伝送システム，　１１　画像信号符号化装置，　１２　送信装置，　１３　受信装置，　１４　画像信号復号装置，　２１　送信システム，　２２　受信システム，　３１　ＡＤＲＣ符号化部，　３２　変調信号選択部，　３３　拡散符号変換部，　３４　拡散変調部，　６１　拡散復調部，　６２　変調信号変換部，　６３　信号種類識別部，　６４　ＡＤＲＣ復号部，　７１　ＰＮ符号記憶部，　７２　相関演算部，　７３　相関係数記憶部，　７４　最大値検出部，　７５　逆拡散部，　１０１　４×４画素のブロック，　１１１　２進数，　１１２ｉｎｄｅｘ番号の列，　１１３　ＰＮ符号表，　１１４　Ｑｃｏｄｅの２進数，　１１５−１乃至１１５−４　伝送信号
【図１】
2004048110.tif 000003
【図２】
2004048110.tif 000004
【図３】
2004048110.tif 000005
【図４】
2004048110.tif 000006
【図５】
2004048110.tif 000007
【図６】
2004048110.tif 000008
【図７】
2004048110.tif 000009
【図８】
2004048110.tif 000010
【図９】
2004048110.tif 000011
【図１０】
2004048110.tif 000012
【図１１】
2004048110.tif 000013
【図１２】
2004048110.tif 000014
【図１３】
2004048110.tif 000015